(57)【要約】      （修正有）【課題】  印刷機における従来型の湿し水冷却循環装置を高価な定量濃度管理型の湿し水冷却循環装置に変えることなく、安価に定量希釈自動供給の機能を持たせるための装置の提供。【解決手段】  オフセット印刷機に付属している湿し水冷却循環装置に、別個の調液タンク１に水道水と薬液を自動で一定量供給、定量濃度に希釈し、その湿し水を自動で供給するために、少なくとも調液タンクに水道水を一定量給水するために上限、下限の水位検知のリミットスイッチ５，６で連動する電磁式弁４を有する配管を設けたことを特徴とする調液タンク。【選択図】    図１
0003100661.tif 000002
【実用新案登録請求の範囲】
【請求項１】
オフセット印刷機に付属している湿し水冷却循環装置に、別個の調液タンクで自動的に定量に希釈した湿し水を供給するために、調液タンクにタイマーの設定により開閉する電磁式弁をつけた配管を設け、水道水および薬液タンクのＨ液（湿し水原液）をそれぞれ定量に調液タンクに供給し、希釈するようにしたことを特徴とする簡易湿し水定量希釈自動供給装置。
【請求項２】
湿し水の希釈濃度に合わせて、Ｈ液（湿し水原液）の供給量をタイマー設定により開閉する電磁式弁を具備する配管を設けた請求項１の簡易湿し水自動定量希釈供給装置。
【請求項３】
水道水を調液タンクに一定量給水するために、水位上限・下限を検知するリミットスイッチにより開閉する電磁式弁を具備する配管を設けた請求項２の簡易湿し水自動定量希釈供給装置。
【請求項４】
調液タンクが渇水した場合に、水位下限を検知するリミットスイッチにより湿し水原液を給液する電磁式弁を作動させるタイマーの電源をＯＮするようにした請求項３の簡易湿し水自動定量希釈供給装置。
【考案の詳細な説明】
【考案の詳細な説明】
【技術分野】
【０００１】本考案はオフセット印刷機に付属している湿し水冷却循環装置に自動的に湿し水を規定濃度に希釈し供給するための簡易湿し水定量希釈自動供給装置の改良に関する。
【背景技術】
【０００２】オフセット印刷機においては、印刷時にインキと湿し水の供給量や湿し水の濃度、温度等を適正値に保持する必要がある。従来広く使われていたＰＨ管理型の湿し水冷却循環装置では、水道水の水質の変化や湿し水の汚れ等でＰＨが変化し、それに伴って湿し水の濃度が一定しないことが原因となり、印刷物に汚れを生じさせたり、インキの転写不良を生じさせたりする。そこで、従来型のＰＨ管理型の湿し水冷却循環装置から定量濃度管理型の湿し水冷却循環装置の導入が図られるようになってきたが、高価であるため、印刷作業者が計量ジョッキ等を用い手作業で規定濃度に希釈した湿し水を、湿し水冷却循環装置に供給している場合が多く、大変煩雑な作業である。また、湿し水冷却循環装置に別個の調液ストックタンクを設け、希釈する手作業の回数を軽減する工夫などがなされている。
【考案が解決しようとする課題】
【０００３】従来の湿し水冷却循環装置に別個の調液ストックタンクを設けた方法であると、湿し水の消費の多い場合は、調液の手作業の回数が多くなり、煩雑であり、補充を忘れることも起こる。そこで、調液タンク１にタイマー設定で開閉する電磁式弁３を具備する配管で薬液タンク２のＨ液（湿し水原液）を定量供給し、水位上限・下限を検知するリミットスイッチにより開閉する電磁式弁４を具備する配管で水道水を定量供給し、調液タンク１に具備したストップコック７から湿し水冷却循環装置の給水口に配管し、湿し水の水位が下がると自動的に規定濃度に希釈された湿し水が補充されるようにしておくものである。
【課題を解決するための手段】
【０００４】調液タンク１としては、図１に示されるように、上限、下限の水位検知リミットスイッチ５，６とストップコック７を有する調液排出用配管を設けた調液タンクを用い、電磁式弁４を有する配管より水道水を一定量供給し、調液タンクの上側に設置されたタイマー連動の電磁式弁３を有する配管を設けた薬液タンク２より水位の差により湿し水原液を一定量供給し、規定量に希釈された湿し水を湿し水水冷循環装置に供給できるように準備しておくものである。
この場合、従来技術では、調液を手作業で行うか、自動の場合は、流量計や混合比調整器や電磁ポンプ等の機器を要し、操作に時間がかかったり、装置自体が高価だったりした。
【０００５】本考案は従来の湿し水冷却循環装置を高価な定量濃度管理型の湿し水冷却循環装置に変えることなく、安価に定量希釈自動供給の機能を持たせるための装置の提供を目的とするものである。
【課題を解決する手段】
【０００６】上記の目的は、（１）オフセット印刷機に付属している湿し水冷却循環装置に、別個の調液タンクに水道水と薬液を自動で一定量供給、定量濃度に希釈し、その湿し水を自動で供給するために、少なくとも調液タンクに水道水を一定量給水するために上限、下限の水位検知のリミットスイッチで連動する電磁式弁を有する配管を設けたことを特徴とする調液タンク。
【０００７】（２）調液タンクの下限リミットスイッチが働いた場合、水道水の給水が始まると同時に調液タンクの上部に設置された薬液タンクに配管された電磁式弁を開くタイマースイッチがＯＮし、湿し水原液が調液タンクに供給される。水道水は常に一定量のため、タイマースイッチの設定時間を変え、湿し水原液の供給量を変化させることで、湿し水の希釈濃度は印刷状況に合わせて簡単に調整することができる。
【考案を実施するための最良の形態】
【０００８】以下添付の図面に従って本考案を更に詳細に説明する。
本考案においては、図１に示されるような調液タンク１で、湿し水を規定濃度に希釈する場合、水道水と薬液をそれぞれ規定量供給しなければならない。そのため、調液タンクには、規定水量に達するように上限、下限の水位検知リミットスイッチ５，６を設け、水位が下限に達した場合、リミットスイッチ５が働いて、水道水給水用配管の電磁式弁４を開き給水を開始すると同時に、調液タンクの上部に設けた薬液タンク２の薬液供給用配管の電磁式弁３を開くタイマースイッチ８がＯＮされ、薬液の供給が始まる。薬液の拡散は水道水の水勢によって期待でき、薬液はタイマースイッチ８の設定によって電磁式弁３が閉じて供給が止まり、水道水は上限水位リミットスイッチ６が働くと電磁式弁４が閉じ供給が止まる。【０００９】オフセット印刷機に付属している湿し水冷却循環装置の水面より上部に設置した調液タンク１の湿し水を供給する場合、湿し水冷却循環装置の水道水自動供給口に調液タンク１の排水用開閉コックを有する配管７を接続することで、調液タンクで定量に希釈された湿し水は水位の差により自動で供給されるようになる。その際、配管７の開閉コックは常に開いておく。湿し水冷却循環装置に水道水の自動給水の機構がないタイプの場合は、ボールタップ弁を取付ける等の改良が必要になる。【００１０】本考案は、安価で簡便に、オフセット印刷機に付属した湿し水冷却循環装置に定量希釈した湿し水を供給する装置を提供することを狙いとしているため、湿し水冷却循環装置に調液タンク１から湿し水を供給する工程と、調液工程が同時に働いた場合、１００％の定量希釈効果を保障するものではないが、湿し水排出配管７の排出口より水位下限リミットスイッチを上部に余裕をもって設置することで、最小の誤差にとどめられ印刷のトラブルの削減に効果になんら問題はないと考えられる。
【実施例】
【００１１】以下、本考案を実施例により更に詳細に説明するがこれにより本考案を限定するものではない。
（実施例１）
図１は、本考案を具体化した簡易湿し水自動定量希釈供給装置を示す概念図である。
オフセット印刷機に付属した湿し水冷却循環装置に、別個の調液タンク１で規定濃度の湿し水を自動的に調液し、自動的に供給する場合、調液タンク１の下限水位検知フロートリミットスイッチ（あるいは、電位差検知式リミットスイッチ）が働き、薬液タンク２よりタイマー設定された電磁式弁３が開きＨ液（湿し水原液）が規定量調液タンク１に供給すると電磁式弁３が閉まり、同時に水道水給水用の配管に設けられた電磁式弁４が開き、上限水位検知リミットスイッチが規定量の水量を検知して働くと電磁式弁４が閉まる。１００ｃｃのＨ液が落ちるように薬液タンクのタイマーを設定し、下限検知リミットスイッチが働いて、薬液および水道水の供給が始まり、５０００ｃｃで上限検知するように調液タンクの上限リミットスイッチの位置を設定すれば、２％の湿し水が得られる。【００１２】この際、調液タンク１に全く湿し水のない初期段階では下限検知リミットスイッチ５の作動位置と調液タンク１底の水量の差で規定値にならないので、調液タンク１の排出用配管のコックを閉め、予め規定値（例２％）の湿し水を別に作り、調液タンク１に投入しておく初期作業が必要になる。【００１３】この初期作業は、オフセット印刷機に付属した湿し水冷却循環装置の湿し水の交換や清掃の際は、調液タンク１の排出用配管７のコックを閉じておけば、再使用の場合も改めて初期作業の必要はない。【００１４】この簡易湿し水自動定量希釈供給装置は、常に規定値の湿し水を補充するものであるため、オフセット印刷機に付属した湿し水冷却循環装置の湿し水の交換や清掃の後は、湿し水冷却循環装置内の湿し水を規定の濃度にしておく必要がある。
【考案の効果】
【００１５】本考案に係る簡易湿し水自動定量希釈供給装置は、調液タンクに規定量の水道水を自動給水するとともに、調液タンクにタイマー設定により規定量の湿し水原液を自動給液できるようにしたことを特徴とし、手作業による湿し水の希釈やＰＨ式の湿し水管理による印刷障害を軽減でき、安価に設置することができる。
【図１】
0003100661.tif 000003
【手続補正書】
【提出日】平成15年11月5日(2003.11.5)
【手続補正２】
【補正対象書類名】明細書
【補正対象項目名】全文
【補正方法】変更
【補正の内容】
【考案の詳細な説明】
【考案の詳細な説明】
【０００１】
【技術分野】本考案はオフセット印刷機に付属している湿し水冷却循環装置に自動的に湿し水を規定濃度に希釈し供給するための簡易湿し水定量希釈自動供給装置の改良に関する。【０００２】
【背景技術】オフセット印刷機においては、印刷時にインキと湿し水の供給量や湿し水の濃度、温度等を適正値に保持する必要がある。従来広く使われていたＰＨ管理型の湿し水冷却循環装置では、水道水の水質の変化や湿し水の汚れ等でＰＨが変化し、それに伴って湿し水の濃度が一定しないことが原因となり、印刷物に汚れを生じさせたり、インキの転写不良を生じさせたりする。そこで、従来型のＰＨ管理型の湿し水冷却循環装置から定量濃度管理型の湿し水冷却循環装置の導入が図られるようになってきたが、高価であるため、印刷作業者が計量ジョッキ等を用い手作業で規定濃度に希釈した湿し水を、湿し水冷却循環装置に供給している場合が多く、大変煩雑な作業である。また、湿し水冷却循環装置に別個の調液ストックタンクを設け、希釈する手作業の回数を軽減する工夫などがなされている。【０００３】
【考案が解決しようとする課題】
従来の湿し水冷却循環装置に別個の調液ストックタンクを設けた方法であると、湿し水の消費の多い場合は、調液の手作業の回数が多くなり、煩雑であり、補充を忘れることも起こる。そこで、調液タンク１にタイマー設定で開閉する電磁式弁３を具備する配管で薬液タンク２のＨ液（湿し水原液）を定量供給し、水位上限・下限を検知するリミットスイッチにより開閉する電磁式弁４を具備する配管で水道水を定量供給し、調液タンク１に具備したストップコック７から湿し水冷却循環装置の給水口に配管し、湿し水の水位が下がると自動的に規定濃度に希釈された湿し水が補充されるようにしておくものである。
【０００４】
【課題を解決するための手段】
調液タンク１としては、図１に示されるように、上限、下限の水位検知リミットスイッチ５，６とストップコック７を有する調液排出用配管を設けた調液タンクを用い、電磁式弁４を有する配管より水道水を一定量供給し、調液タンクの上側に設置されたタイマー連動の電磁式弁３を有する配管を設けた薬液タンク２より水位の差により湿し水原液を一定量供給し、規定量に希釈された湿し水を湿し水水冷循環装置に供給できるように準備しておくものである。
この場合、従来技術では、調液を手作業で行うか、自動の場合は、流量計や混合比調整器や電磁ポンプ等の機器を要し、操作に時間がかかったり、装置自体が高価だったりした。
【０００５】本考案は従来の湿し水冷却循環装置を高価な定量濃度管理型の湿し水冷却循環装置に変えることなく、安価に定量希釈自動供給の機能を持たせるための装置の提供を目的とするものである。
【０００６】
【課題を解決する手段】
上記の目的は、（１）オフセット印刷機に付属している湿し水冷却循環装置に、別個の調液タンクに水道水と薬液を自動で一定量供給、定量濃度に希釈し、その湿し水を自動で供給するために、少なくとも調液タンクに水道水を一定量給水するために上限、下限の水位検知のリミットスイッチで連動する電磁式弁を有する配管を設けたことを特徴とする調液タンク。
【０００７】（２）調液タンクの下限リミットスイッチが働いた場合、水道水の給水が始まると同時に調液タンクの上部に設置された薬液タンクに配管された電磁式弁を開くタイマースイッチがＯＮし、湿し水原液が調液タンクに供給される。水道水は常に一定量のため、タイマースイッチの設定時間を変え、湿し水原液の供給量を変化させることで、湿し水の希釈濃度は印刷状況に合わせて簡単に調整することができる。
【０００８】
【考案を実施するための最良の形態】以下添付の図面に従って本考案を更に詳細に説明する。
本考案においては、図１に示されるような調液タンク１で、湿し水を規定濃度に希釈する場合、水道水と薬液をそれぞれ規定量供給しなければならない。そのため、調液タンクには、規定水量に達するように上限、下限の水位検知リミットスイッチ５，６を設け、水位が下限に達した場合、リミットスイッチ５が働いて、水道水給水用配管の電磁式弁４を開き給水を開始すると同時に、調液タンクの上部に設けた薬液タンク２の薬液供給用配管の電磁式弁３を開くタイマースイツチ８がＯＮされ、薬液の供給が始まる。薬液の拡散は水道水の水勢によって期待でき、薬液はタイマースイッチ８の設定によって電磁式弁３が閉じて供給が止まり、水道水は上限水位リミットスイッチ６が働くと電磁式弁４が閉じ供給が止まる。【０００９】オフセット印刷機に付属している湿し水冷却循環装置の水面より上部に設置した調液タンク１の湿し水を供給する場合、湿し水冷却循環装置の水道水自動供給口に調液タンク１の排水用開閉コックを有する配管７を接続することで、調液タンクで定量に希釈された湿し水は水位の差により自動で供給されるようになる。その際、配管７の開閉コックは常に開いておく。湿し水冷却循環装置に水道水の自動給水の機構がないタイプの場合は、ボールタップ弁を取付ける等の改良が必要になる。【００１０】本考案は、安価で簡便に、オフセット印刷機に付属した湿し水冷却循環装置に定量希釈した湿し水を供給する装置を提供することを狙いとしているため、湿し水冷却循環装置に調液タンク１から湿し水を供給する工程と、調液工程が同時に働いた場合、１００％の定量希釈効果を保障するものではないが、湿し水排出配管７の排出口より水位下限リミットスイッチを上部に余裕をもって設置することで、最小の誤差にとどめられ印刷のトラブルの削減に効果になんら問題はないと考えられる。【００１１】
【実施例】以下、本考案を実施例により更に詳細に説明するがこれにより本考案を限定するものではない。
（実施例１）
図１は、本考案を具体化した簡易湿し水自動定量希釈供給装置を示す概念図である。
オフセット印刷機に付属した湿し水冷却循環装置に、別個の調液タンク１で規定濃度の湿し水を自動的に調液し、自動的に供給する場合、調液タンク１の下限水位検知フロートリミットスイッチ（あるいは、電位差検知式リミットスイッチ）が働き、薬液タンク２よりタイマー設定された電磁式弁３が開きＨ液（湿し水原液）が規定量調液タンク１に供給すると電磁式弁３が閉まり、同時に水道水給水用の配管に設けられた電磁式弁４が開き、上限水位検知リミットスイッチが規定量の水量を検知して働くと電磁式弁４が閉まる。１００ｃｃのＨ液が落ちるように薬液タンクのタイマーを設定し、下限検知リミットスイッチが働いて、薬液および水道水の供給が始まり、５０００ｃｃで上限検知するように調液タンクの上限リミットスイッチの位置を設定すれば、２％の湿し水が得られる。【００１２】この際、調液タンク１に全く湿し水のない初期段階では下限検知リミットスイッチ５の作動位置と調液タンク１底の水量の差で規定値にならないので、調液タンク１の排出用配管のコックを閉め、予め規定値（例２％）の湿し水を別に作り、調液タンク１に投入しておく初期作業が必要になる。【００１３】この初期作業は、オフセット印刷機に付属した湿し水冷却循環装置の湿し水の交換や清掃の際は、調液タンク１の排出用配管７のコックを閉じておけば、再使用の場合も改めて初期作業の必要はない。【００１４】この簡易湿し水自動定量希釈供給装置は、常に規定値の湿し水を補充するものであるため、オフセット印刷機に付属した湿し水冷却循環装置の湿し水の交換や清掃の後は、湿し水冷却循環装置内の湿し水を規定の濃度にしておく必要がある。【００１５】
【考案の効果】
本考案に係る簡易湿し水自動定量希釈供給装置は、調液タンクに規定量の水道水を自動給水するとともに、調液タンクにタイマー設定により規定量の湿し水原液を自動給液できるようにしたことを特徴とし、手作業による湿し水の希釈やＰＨ式の湿し水管理による印刷障害を軽減でき、安価に設置することができる。
【図面の簡単な説明】
【００１６】
【図１】本考案の実施形態の要部を示す概略装置図
【００１７】
【符号の説明】
１  調液タンク
２  薬液タンク
３  電磁式弁
４  電磁式弁
５  下限水位検知リミットスイッチ
６  上限水位検知リミットスイッチ
７  排出用配管
８  タイマースイッチ